(57)【特許請求の範囲】
【請求項１】
荷重制限手段と、積載された廃薄型テレビを搬出するための搬出手段とが設けられた、廃薄型テレビを搬送するための搬送容器を用いて廃薄型テレビを搬送する方法であって、
前記荷重制限手段が、搬送容器に設けられた仕切りと、底部上面に衝撃緩衝機構を有するバケット状またはパレット状の形状を有する、廃薄型テレビを搬送容器に積載するための積載手段との組み合わせであり、
前記積載手段の衝撃緩衝機構に、廃薄型テレビ前面を接面して積載し、
荷重制限手段によって搬送容器に積載した廃薄型テレビにかかる荷重を制限しながら廃薄型テレビを搬送する、廃薄型テレビの搬送方法。
【請求項２】
搬出手段が複数の可動ローラにより構成される、請求項１に記載の廃薄型テレビの搬送方法。
【請求項３】
積載手段が、廃薄型テレビを略固定することが可能であり、かつ略水平面で回転可能な機構を有する、請求項１または２に記載の廃薄型テレビの搬送方法。
【発明の詳細な説明】
【技術分野】
【０００１】
本発明は、廃薄型テレビの搬送方法、搬入方法、およびそれらを用いた廃薄型テレビの再資源化方法、ならびに搬送容器に関する。
【背景技術】
【０００２】
近年、わが国では所得水準の向上に伴い、エアコンディショナ（エアコン）、テレビジョン受信機（テレビ）、冷蔵庫、洗濯機などの家電製品、パーソナルコンピュータ、ワードプロセッサなどの情報機器、プリンタ、ファックスなどの事務用機器、その他の各種の家具、文具、玩具などが、一般家庭に高い普及率で備えられるようになっており、家庭生活における利便性は飛躍的に向上しつつある。その結果、これらの家電製品をはじめとする製品の廃棄量も年々増加する傾向にある。
【０００３】
上記のような状況を受け、２００１年４月より家電リサイクル法が施行された。ここで、エアコン、テレビ、冷蔵庫、洗濯機の家電４品目（以下、「家電４品目」と略記する）のリサイクルが義務付けられ、また、それぞれの製品の再商品化率については、エアコン６０％以上、テレビ５５％以上、冷蔵庫５０％以上、洗濯機５０％以上の法定基準値が定められている。
【０００４】
これら家電４品目においては、国内に多くの家電リサイクル工場、家電リサイクル施設が建設され、定められたルートで回収された家電４品目が家電リサイクル工場、家電リサイクル施設に運搬され、リサイクルされている。関係者の鋭意努力のもと、法律施行当初に比べリサイクルは格段に進んでおり、現在、家電４品目に使用されている鉄、銅、アルミなどの金属はもとより、プラスチックについてもリサイクルが拡大しつつある。また、テレビにおいては、ブラウン管表示装置のブラウン管ガラスを切断して電子銃、蛍光体を除去した後、ガラスカレットとして元のブラウン管用ガラスに再生使用するリサイクル技術が既に実用化されている。
【０００５】
ところで、近年、表示部品として液晶パネル、プラズマディスプレイパネル（ＰＤＰ）、有機ＥＬパネル、電界放出型ディスプレイパネルなどの薄型パネルを搭載した薄型テレビの需要が、省電力、省スペース、軽量かつデジタル放送の受像に適するといった特性から、近年の地球環境問題への関心の高まり、ならびにテレビ放送のデジタル化と相俟って、急激に増加している。特に、大型の薄型パネルを搭載した大画面薄型テレビの需要が劇的に拡大している。これに伴い、薄型テレビの廃棄量も今後急激に増加していくことが予想され、リサイクル活動などの環境活動において、リサイクル性向上などの要求が強くなってきている。
【０００６】
ところが、薄型テレビは比較的新しい製品であること、また、現状は比較的廃棄物の量が少ないこともあり、前記ブラウン管テレビのような適切なリサイクルは実用化されていない。廃棄された薄型テレビは処理施設で破砕されて、シュレッダーダストと共に埋め立て処理または焼却処理されているのが現状である。
【０００７】
加えて液晶パネル、プラズマディスプレイパネルなどを搭載した薄型テレビは、近い将来、家電リサイクル法の適用品目として追加される動きもある。このような背景から、薄型テレビのリサイクル技術の開発は急務となっている。
【０００８】
ところで、家電４品目の搬送方法については、一般的には、全国各地の指定取引場所に収集された家電４品目を、所定の搬送容器に品目ごとに分別して積載し、指定のリサイクル工場へ搬送する、というような方法が広く採用されている。この際、指定取引場所における搬送容器への積み込みは、品目を分別した上でランダムに積み込まれる。リサイクル工場へ搬送された家電４品目は、人手によって、あるいはハンドクレーン、傾転装置などを用いて搬送容器からリサイクルラインに搬入される。このリサイクル工場における搬送容器からリサイクルラインへの搬入は、品目によって方法は異なるが、たとえばテレビの場合は、テレビを積載した搬送容器の四方の外枠の内の一面を開放し、開放した一面が傾斜の下方にくるように、傾転装置を用いて搬送容器を傾転させ、積載しているテレビを傾斜に沿って落下させることでリサイクルラインへ搬入させる方法が採用されることが多い。
【０００９】
また、特開２００１−３３５１２７号公報（特許文献１）には、搬送容器からリサイクルラインへの搬入方法として、Ｌ字状荷受台で搬送容器に積載された荷を受け、ラインのコンベアに移載する方法が公開されている。
【００１０】
しかし、これらの従来公知の方法を、廃棄された薄型テレビ（廃薄型テレビ）に適用することを考えると、搬送容器内でランダムに積載された廃棄された薄型テレビは、搬送中の揺れなどにより互いにぶつかり合ったり、あるいは搬送容器にぶつかりながら搬送されるが、廃薄型テレビは家電４品目に比べて前面ガラスの耐衝撃性が劣るため、衝突の衝撃に耐えることができず、前面ガラスが破損する可能性がある。さらに、多くの廃薄型テレビを積み重ねて搬送すると、下層部に積載された廃薄型テレビの前面ガラスが荷重に耐え切れずに破損する可能性もある。また、傾転装置を使用したリサイクルラインへの搬入方法についても、傾斜に沿って落下する途中で互いにぶつかり合ったり、あるいはラインへ到達したときの衝撃により前面ガラスが破損する可能性がある。さらに、特許文献１に記載された方法については、冷蔵庫、洗濯機などの方形体状の物体に特化しており、廃薄型テレビのような形状の物体には不適である。さらに、特許文献１の方法では前面ガラスが破損する可能性がある。
【特許文献１】特開２００１−３３５１２７号公報
【発明の開示】
【発明が解決しようとする課題】
【００１１】
薄型テレビは、省電力・省資源に貢献でき、デジタル放送の受像に適したテレビ受像機であるので、地球環境問題への注目が高まり、テレビ放送のデジタル化に伴って、急激に生産量が増大すると共に、その表示面積も大型化することが予想され、これに伴って、今後、廃棄される薄型テレビも、数・量ともに急激に増大すると予想されており、近い将来、家電リサイクル法の適用品目として追加される動きもある。
【００１２】
しかし、上述したように薄型テレビはその製品特徴から家電４品目と比較して耐衝撃性が劣るため、従来の搬送方法では前面ガラスが破損する可能性があり、リサイクル性の観点から、また安全性の観点からも不適切である。このような背景から、廃薄型テレビの前面ガラスを損傷することなく、安全に、効率的に搬送できる方法、手段が強く求められているにも関わらず、そのような搬送方法は未だ公知となっていないのが現状である。
【００１３】
本発明は、上記課題を解決するためになされたものであって、その目的とするところは、廃薄型テレビの前面ガラスを損傷することなく、安全かつ効率的に搬送することができる方法を提供することである。
【課題を解決するための手段】
【００１４】
本発明者らは、上記課題を解決するためには、廃薄型テレビに強い衝撃を与えることなく、かつ大きな荷重をかけることなく搬送すればよいとの着想を得、そのような廃薄型テレビの搬送方法を開発すべく、多くの搬送方法、搬送容器あるいは搬送容器からの積載物の取り出し方について鋭意検討を重ねた。検討の結果、搬送容器に荷重制限手段を設け、当該荷重制限手段によって搬送容器に積載した廃薄型テレビにかかる荷重を制限しながら廃薄型テレビを搬送すればよいことを見出し、本発明に到達した。すなわち、本発明は以下のとおりである。
【００１５】
本発明の廃薄型テレビの搬送方法は、廃薄型テレビを搬送するための搬送容器に荷重制限手段を設け、当該荷重制限手段によって搬送容器に積載した廃薄型テレビにかかる荷重を制限しながら廃薄型テレビを搬送することを特徴とする。
【００１６】
本発明の廃薄型テレビの搬送方法において、荷重制限手段が、搬送容器に設けられた仕切りと、廃薄型テレビを搬送容器に積載するための積載手段との組み合わせであることが、好ましい。
【００１７】
また本発明の廃薄型テレビの搬送方法においては、積載された廃薄型テレビを搬出するための搬出手段が設けられた搬送容器を用いることが、好ましい。この場合、搬出手段は、複数の可動ローラにより構成されたものであることが好ましい。
【００１８】
本発明の廃薄型テレビの搬送方法に用いられる積載手段は、底部上面に衝撃緩衝機構を有するバケット状またはパレット状の形状を有することが好ましい。
【００１９】
また本発明の廃薄型テレビの搬送方法における積載手段は、廃薄型テレビを略固定することが可能であり、かつ略水平面で回転可能な機構を有することが好ましい。
【００２０】
また、本発明の廃薄型テレビの搬送方法では、積載手段の衝撃緩衝機構に、廃薄型テレビ前面を接面して積載することが、好ましい。
【００２１】
本発明はまた、仕切りと、底部上面に衝撃緩衝機構を有するバケット状またはパレット状の積載手段と、積載された廃薄型テレビを搬出するための搬出手段とが設けられた搬送容器を用いて、廃薄型テレビ前面を衝撃緩衝機構に接面させて、積載手段に廃薄型テレビを積載して搬送する、廃薄型テレビの搬送方法についても提供する。
【００２２】
本発明は、上述した本発明の廃薄型テレビの搬送方法によって搬送された廃薄型テレビを処理施設または処理設備に搬入する方法であって、搬送容器が略鉛直方向に自在に可動であるように構成されている廃薄型テレビの搬入方法についても提供する。
【００２３】
本発明はまた、上述した本発明の廃薄型テレビの搬入方法を用いた、廃薄型テレビの再資源化方法についても提供する。
【００２４】
本発明は、上述した本発明の廃薄型テレビの搬送方法に用いられる搬送容器であって、変形により略平面状に折り畳みが可能である搬送容器についても提供する。
【００２５】
本発明は、また、上述した本発明の搬送容器を用いた廃薄型テレビの再資源化方法についても提供する。
【００２６】
本発明はさらに、廃薄型テレビを積載するための積載手段と、積載された廃薄型テレビを搬出するための搬出手段とを備える搬送容器を用いて、２台の廃薄型テレビ同士をガラス面を略接面させて積載手段に積載して搬送する廃薄型テレビの搬送方法についても提供する。
【００２７】
本発明は、上述した本発明の廃薄型テレビの搬送方法を用いた廃薄型テレビの再資源化方法についても提供する。
【発明の効果】
【００２８】
本発明によれば、市場から回収される廃薄型テレビの前面ガラスを破損することなく、安全に搬送する廃薄型テレビの搬送方法、搬送容器を提供することができる。また本発明によれば、廃薄型テレビの処理施設または処理設備に、効率的、かつ安全に廃薄型テレビを搬入することができる方法ついても提供することができる。
【発明を実施するための最良の形態】
【００２９】
図１は、本発明の廃薄型テレビの搬送方法に好適に用いられ得る廃薄型テレビを搬送するための搬送容器１を模式的に示す斜視図であり、図２は、図１に示す搬送容器１に廃薄型テレビ２を積載した状態を模式的に示す斜視図である。本発明の廃薄型テレビの搬送方法は、廃薄型テレビを搬送するための搬送容器に荷重制限手段を設け、当該荷重制限手段によって搬送容器に積載した廃薄型テレビにかかる荷重を制限することを特徴とする。これによって、市場から回収される廃薄型テレビの前面ガラスを破損することなく、安全に搬送することができる。
【００３０】
図１および図２に示す例の搬送容器１は、内部空間を複数（図１および図２に示す例では４つ）の空間部に区切る仕切り３が設けられ、この仕切り３が、搬送容器１に積載する廃薄型テレビの荷重を制限する荷重制限手段の１つとして作用するように構成されている。このように仕切り３で区切られた空間部に、それぞれ廃薄型テレビを積載していく。積載する際には、図２に示す例のように、予めスタンドを取り外した状態の廃薄型テレビ２とすることが好ましい。取り外したスタンドについては別途搬送するようにすることで、廃薄型テレビの搬送の効率が向上される。
【００３１】
スタンドを取り外した状態の廃薄型テレビ２は、図２に示すように２台の廃薄型テレビ同士をガラス面を略接面して搬送容器１に積載される。この際、廃薄型テレビ２は、画面のサイズで区分して積載することが望ましく、少なくとも大型（３２型以上）、中小型（３２型より小さい）の２通りに区分することが望ましい。これにより、廃薄型テレビの搬送の効率が向上するとともに、ガラスの破損をより効果的に防止することができる。
【００３２】
また、搬送容器１内の仕切り３により区切られた各空間部に積載される廃薄型テレビ２の台数は、廃薄型テレビにかかる荷重を制限するように選ばれるのであれば、特に制限されるものではないが、２台以上２０台以下であることが望ましく、４台以上１０台以下であることがより望ましい。各空間部に積載される廃薄型テレビ２が２台未満である場合には、廃薄型テレビの搬送効率が著しく低下する虞があり、また、２０台より多く積載した場合には、最下部に積載された廃薄型テレビにかかる荷重が大きくなり、ガラスが破損しやすくなる傾向にある。本発明の廃薄型テレビの搬送方法では、たとえばこのようにして、搬送容器に積載する廃薄型テレビの荷重を制限する。
【００３３】
本発明においては、廃薄型テレビの荷重を制限する荷重制限手段として、仕切り３に加えて積載手段４をさらに有する搬送容器１を用いることが好ましい。ここで、図３（ａ）は、本発明に用いられ得る好ましい第１の例の積載手段４を模式的に示す斜視図であり、図３（ｂ）は積載手段４を用いて廃薄型テレビ２を複数積載した状態を模式的に示す斜視図である。積載手段は、たとえば、底面上面に衝撃緩衝機構を有するバケット状またはパレット状の形状を有することが好ましい。図３には、底面上面に衝撃緩衝機構５を有するパレット状の積載手段４を示している。衝撃緩衝機構５は、たとえば、発泡スチロール、発泡ウレタンに代表されるような発泡材、気泡緩衝材、エアシート、クッションペーパー、衝撃吸収ゲルに代表されるようなゲル化素材、新聞紙、段ボールに代表されるような紙材などの従来公知の適宜の緩衝材を用いて実現することができるが、これらに限定されるものでは勿論ない。図３に示すようなパレット状の積載手段４を用いることで、搬送容器で搬送中の安定度が向上する、家電リサイクルプラントなどの処理施設、処理設備に搬入する際のハンドリングがしやすくなるというような利点がある。また、パレット状の積載手段に代えて、バケット状の積載手段を用いるようにしてもよく、バケット状の積載手段を用いた場合には、バケットそのものにより廃薄型テレビにかかる荷重を制限することもできる。
【００３４】
このような衝撃緩衝機構を有する積載手段を用いる場合、図２に示す例のように、廃薄型テレビ２は、前面を衝撃緩衝機構に接面させて積載することが好ましい。これによって、廃薄型テレビ２前面のガラスにかかる衝撃を積載手段の衝撃緩衝機構にて吸収することで、ガラスの破損を防止することができる。
【００３５】
本発明の廃薄型テレビの搬送方法に用いられる積載手段は、廃薄型テレビを略固定することが可能であり、かつ略水平面で回転可能な機構を有するものであることが好ましい。このような積載手段を用いることで、安全性および搬送の作業効率が向上される。
【００３６】
ここで、図４（ａ）は、本発明に用いられ得る好ましい第２の例の積載手段４’を模式的に示す斜視図であり、図４（ｂ）は積載手段４’を用いて廃薄型テレビ２を積載した状態を模式的に示す斜視図である。本発明の廃薄型テレビの搬送方法には、図４に示すように廃薄型テレビを略固定することが可能である積載手段４’も好ましく用いることができる。図４には、たとえば底面上面に廃薄型テレビを嵌め込んで略固定するための枠６が予め設けられた例の積載手段４’を示している。このような積載手段４’を用いる場合、この枠６に廃薄型テレビ２を嵌め込んで積載手段４’に略固定して搬送すればよい（図４（ｂ））。
【００３７】
また図５（ａ）は、本発明に用いられ得る好ましい第３の例の積載手段４’’を模式的に示す側面図であり、図５（ｂ）は斜視図である。図５に示す例の積載手段４’’は、２枚の板状体が回転軸７を挟んで重ね合わされ、回転軸７により板状体が略水平面上で回転可能なように実現されている（図５（ｂ）は、回転軸７回りに上側の板状体を略水平面上で回転させた状態を示している。）。
【００３８】
本発明の廃薄型テレビの搬送方法においてはまた、積載された廃薄型テレビを搬出するための搬出手段が設けられた搬送容器を用いることが好ましい。図１および図２には、上述した仕切り３によって区切られた各空間部の底面に可動ローラが複数設けられて、搬出手段８が実現された例の搬送容器１が示されている。これにより、本発明の廃薄型テレビの搬送方法によって家電リサイクルプラントなどの処理施設、処理設備に搬入するに際しての、搬送容器１からの廃薄型テレビ２の搬出が円滑となる。
【００３９】
また本発明によれば、仕切りと、底部上面に衝撃緩衝機構を有するバケット状またはパレット状の積載手段と、積載された廃薄型テレビを搬出するための搬出手段とが設けられた搬送容器を用いて、廃薄型テレビ前面を衝撃緩衝機構に接面させて、積載手段に廃薄型テレビを積載して搬送する、廃薄型テレビの搬送方法も提供される。このような本発明の廃薄型テレビの搬送方法によっても、上述してきたように、市場から回収される廃薄型テレビを、前面ガラスを破損することなく安全に、そして効率的に搬送することができる。
【００４０】
本発明はまた、上述した本発明の廃薄型テレビの搬送方法で搬送された廃薄型テレビを、略鉛直方向に自在に可動させることで、処理施設または処理設備に搬入する、廃薄型テレビの搬入方法についても提供する。すなわち、廃薄型テレビ２を家電リサイクルプラントなどの処理施設、処理設備に搬入する際、仕切り３によって区切られた搬送容器１の各空間部の底面に設けられた搬出手段８（具体的には可動ローラ）の高さが、処理施設、処理設備に敷設された受入機構の高さと略同一となるように搬送容器１を昇降させることで、廃薄型テレビを略鉛直方向に移動させて、受入機構の高さと略同一となった搬出手段８上に積載された廃薄型テレビ２のみを搬入するようにすることが好ましい。このようにすることで、搬送容器１から廃薄型テレビ２を処理施設、処理設備に搬入する際に、ガラスが破損することを防止できる。
【００４１】
搬送容器１を昇降させる方法については特に制限されるものではないが、従来公知の昇降機に搬送容器を略固定し、昇降させる用法、フォークリフトに搬送容器を略固定し、昇降させる方法などが挙げられる。また、処理施設、処理設備へ搬入する際、ハンドクレーン、自動搬入装置を用いることで搬送容器を略鉛直方向に昇降させることなく搬入することも可能である。
【００４２】
なお、搬送容器から搬出された廃薄型テレビを、処理施設、処理設備内に搬入する手段は特に制限されないが、積載された廃薄型テレビを人手によりローラ上を滑走させて搬入する方法、従来公知の傾転装置を用いる方法などが挙げられる。さらに、積載手段に、収容された廃薄型テレビのサイズを判別するＩＣタグなどを敷設することで、廃薄型テレビをサイズごとに選別しながら搬入することも可能となる。
【００４３】
こうして本発明の搬送方法で搬送され、本発明の搬入方法で搬入された廃薄型テレビは、通常の方法で解体される。この際、図５に示したような略水平面で回転可能な機構を有する積載手段４’’を用いた場合には、この解体の際に積載手段を作業台としても用いることができ、作業効率が向上される。解体された廃薄型テレビは、従来公知の方法にて再資源化される。本発明は、さらに、このような本発明の廃薄型テレビの搬入方法を用いた、廃薄型テレビの再資源化方法についても提供するものである。本発明の再資源化方法では、廃薄型テレビの搬送時、搬入時にガラスが破損することがなく極めて安全であるとともに、ガラスについても好適に再資源化できるため、再資源化効率が高く、資源を有効利用することができる。
【００４４】
また本発明は、上述してきた本発明の廃薄型テレビの搬送方法のうち、廃薄型テレビを積載するための積載手段と、積載された廃薄型テレビを搬出するための搬出手段とを備える搬送容器を用いて、２台の廃薄型テレビ同士をガラス面を略接面させて積載手段に積載して搬送する廃薄型テレビの搬送方法についても提供する。このような本発明の搬送方法によれば、廃薄型テレビの搬送の効率が向上するとともに、ガラスの破損をより効果的に防止することができるというような利点があり、特に好ましい。本発明はさらに、このような本発明の搬送方法を用いた、再資源化効率が高く、資源を有効利用できる廃薄型テレビの再資源化方法についても提供する。
【００４５】
図６は、本発明の廃薄型テレビの搬送方法に好適に用いられ得る廃薄型テレビを搬送するための第２の例の搬送容器１１を模式的に示す斜視図である。図６には、仕切りによって２つの空間部に区切られた搬送容器１１の当該空間部に、廃薄型テレビ２を、前面ガラスが略鉛直方法に沿って立った状態で積載した例を示している。この際の積載方法は、図１および図２を参照して上述した例と同様に、スタンドを外し、サイズにより区別され、１つの空間部に収容（積載）される廃薄型テレビの台数を制限するようにする。
【００４６】
また図７は、本発明の廃薄型テレビの搬送方法に好適に用いられ得る廃薄型テレビを搬送するための第３の例の搬送容器２１を模式的に示す図である。本発明においては、搬送容器に収容された廃薄型テレビを処理施設、処理設備に搬入する際、上述したように搬送容器を略鉛直方向に昇降させる代わりに、搬送容器を変形させるようにしてもよい。図７に示す例の搬送容器２１は、仕切りにより２段の空間部を有するように構成され、処理施設、処理設備に搬入する際、受入機構の高さが搬送容器の最下段の高さと略同一である場合には、最下段に積載された廃薄型テレビを図７（ａ）に示す状態で搬出した後、図７（ａ）に示す状態で、搬送容器２１の上枠を取り外す、または、搬送容器２１の側面に上枠を吊り下げる機構を設置して該機構に吊り下げることで上枠を外し（場合によっては、その途中で最下段に設けられた搬出手段８も取り外す）、図７（ｂ）の正面図に示す状態を経て、図７（ｃ）の正面図に示すように、略平面状に折り畳まれるように変形する。この際、搬送容器の最上段の空間部の底面に設けられた搬出手段８の高さを、処理施設、処理設備の受入機構との高さを合わせるように、搬送容器２１を変形する。このように変形した状態で、最上段に積載された廃薄型テレビを、搬送容器２１から搬出する。このようにすることで、上述した搬送容器を略鉛直方向に昇降させる場合と同様の効果を得ることができ、廃薄型テレビを安全に、かつ効率よく処理施設、設備に搬入することができる。本発明は、このように、本発明の廃薄型テレビの搬送方法に好適に用いられる、変形により略平面状に折り畳みが可能である搬送容器、ならびに、当該搬送容器を用いた廃薄型テレビの再資源化方法についても提供するものである。
【図面の簡単な説明】
【００４７】
【図１】本発明の廃薄型テレビの搬送方法に好適に用いられ得る廃薄型テレビを搬送するための第１の例の搬送容器１を模式的に示す斜視図である。
【図２】図１に示す搬送容器１に廃薄型テレビ２を積載した状態を模式的に示す斜視図である。
【図３】図３（ａ）は本発明に用いられる好ましい第１の例の積載手段４を模式的に示す斜視図であり、図３（ｂ）は積載手段４を用いて廃薄型テレビ２を複数積載した状態を模式的に示す斜視図である。
【図４】図４（ａ）は、本発明に用いられ得る好ましい第２の例の積載手段４’を模式的に示す斜視図であり、図４（ｂ）は積載手段４’を用いて廃薄型テレビ２を積載した状態を模式的に示す斜視図である。
【図５】図５（ａ）は、本発明に用いられ得る好ましい第３の例の積載手段４’’を模式的に示す側面図であり、図５（ｂ）は斜視図である。
【図６】本発明の廃薄型テレビの搬送方法に好適に用いられ得る廃薄型テレビを搬送するための第２の例の搬送容器１１を模式的に示す斜視図である。
【図７】図７（ａ）は、本発明の廃薄型テレビの搬送方法に好適に用いられ得る廃薄型テレビを搬送するための第３の例の搬送容器２１を模式的に示す斜視図であり、図７（ｂ）,（ｃ）はその正面図である。
【符号の説明】
【００４８】
１，１１，２１  搬送容器、２  廃薄型テレビ、３  仕切り、４，４’，４’’  積載手段、８  搬出手段。
【図１】
0004958169.tif 000002
【図２】
0004958169.tif 000003
【図３】
0004958169.tif 000004
【図４】
0004958169.tif 000005
【図５】
0004958169.tif 000006
【図６】
0004958169.tif 000007
【図７】
0004958169.tif 000008